(57)【要約】  【課題】  柄の先端部に複数列からなる多数の細いブラシ毛を一体成形した化粧用塗布具において、価格を上昇させることなく、ブラシ毛をいっそう柔らかくする。  【解決手段】  柄（２０）の先端部（２２）に複数列からなる多数のブラシ毛（２４）を柄の先端部と一体に成形した化粧用塗布具において、各ブラシ毛は、柄の先端部の周方向の一方側に後側面（２６）を向け、他方側に後側面（２６）以外の二側面（２９）を向けた略三角形断面をしており、後側面の延長面は柄の先端部の中心軸（２８）を含み、後側面以外の二側面には抜け勾配が設けられる。  【選択図】    図１
2008136495.tif 000002
【特許請求の範囲】
【請求項１】
柄の先端部に複数列からなる多数のブラシ毛を柄の先端部と一体に成形した化粧用塗布具において、
各ブラシ毛は、柄の先端部の周方向の一方側に後側面を向け、他方側に前記後側面以外の二側面を向けた略三角形断面をしており、前記後側面の延長面は柄の先端部の中心軸を含み、前記後側面以外の二側面には抜け勾配が設けられたことを特徴とする化粧用塗布具。
【請求項２】
前記ブラシ毛の先端部には、前記後側面側ほど高くなる傾斜面が形成されたことを特徴とする請求項１に記載の化粧用塗布具。
【請求項３】
前記各列の前記ブラシ毛のピッチは、前記周方向の位置に応じて変化させたことを特徴とする請求項１又は２に記載の化粧用塗布具。
【請求項４】
前記請求項１、２又は３に記載の化粧用塗布具を形成する化粧用塗布具成形金型であって、該化粧用塗布具成形金型は、扇形をした金型単位を組み合わせて構成し、各金型単位においては二側面のうちの一方側にのみブラシ毛形成用のＶ字溝を形成したことを特徴とする化粧用塗布具成形用金型。
【発明の詳細な説明】
【技術分野】
【０００１】
本発明は、合成樹脂から一体成形されたマスカラブラシ等の化粧用塗布具及び該化粧用塗布具を成形するための化粧用塗布具成形用金型に関する。
【背景技術】
【０００２】
従来の合成樹脂から一体成形されたマスカラブラシとしては、図６に示したように、柄２の先端部１０に、多数のブラシ毛１４ｂが複数列植設された塗布部５を有しているものがものがある（下記特許文献１参照）。一体成形によるマスカラブラシでは、ブラシ毛１４ｂを成形樹脂の流動性の限界から細くすることが困難であり、合成繊維を植設されたブラシ毛と比較すると、繊細な睫をさばく感触、及び直接皮膚に触れたときの感触は、剛毛感が強いという欠点があった。そこで、このマスカラブラシでは、ブラシ毛１４ａの断面を三角形にして、ブラシ毛１４ａを睫やまゆ毛等の間を通り易くするとともに、膚等に触れたときの安全のために軟らかくしている。
【特許文献１】特開２００４−１５９８２３号公報参照
【発明の開示】
【発明が解決しようとする課題】
【０００３】
ところで、前記特許文献１に開示した一体成形によるマスカラブラシに対しては、尚いっそう柔らかいブラシ毛１４ａが必要との要望も寄せられている。
【０００４】
そこで、本発明は、前記要望に鑑みてなされたもので、柄の先端部周囲に複数列からなる多数の細いブラシ毛を一体成形した化粧用塗布具において、価格を上昇させることなく、ブラシ毛をいっそう柔らかくすることを課題とする。
【課題を解決するための手段】
【０００５】
上記の課題を解決するため、請求項１に係る発明は、柄の先端部に複数列からなる多数のブラシ毛を柄の先端部と一体に成形した化粧用塗布具において、各ブラシ毛は、柄の先端部の周方向の一方側に後側面を向け、他方側に前記後側面以外の二側面を向けた略三角形断面をしており、前記後側面の延長面は柄の先端部の中心軸を含み、前記後側面以外の二側面には抜け勾配が設けられたことを特徴とする。
【０００６】
請求項２に係る発明は、請求項１に係る発明において、前記ブラシ毛の先端部には、前記後側面側ほど高くなる傾斜面が形成されたことを特徴とする。
【０００７】
請求項３に係る発明は、請求項１又は２に係る発明において、前記各列の前記ブラシ毛のピッチは、前記周方向の位置に応じて変化させたことを特徴とする。
【０００８】
請求項４に係る発明は、前記請求項１、２又は３に記載の化粧用塗布具を形成する化粧用塗布具成形金型であって、該化粧用塗布具成形金型は、扇形をした金型単位を組み合わせて構成し、各金型単位においては二側面のうちの一方側にのみブラシ毛形成用のＶ字溝を形成したことを特徴とする。
【発明の効果】
【０００９】
請求項1に係る発明によれば、各ブラシ毛は、柄の先端部の周方向の一方側に後側面を向け、他方側に前記後側面以外の二側面を向けた略三角形断面をしており、前記後側面の延長面は柄の先端部の中心軸を含み、前記後側面以外の二側面には抜け勾配が設けられているが、これは、ブラシ毛の後側面は完全に柄の先端部の中心軸から放射状に延びており、前記後側面以外の二側面により形成される前記ブラシ毛の前縁は後側面側へ傾いていることを意味する。したがって、この化粧用塗布具によって、ブラシ毛の前縁を前方にして睫やまゆ毛をさばくと、ブラシ毛が、睫やまゆ毛の間を通り易くなるとともに、後方に変形し易く柔らかいものとなり、使い易い化粧用塗布具が得られる。また、ブラシ毛の後側面は完全に柄の先端部の中心軸から放射状であって、ブラシ毛の前縁が後方へ傾斜するのであるから、ブラシ毛の形成するためには扇形の金型単位を組み合わせた金型を使用するのであるが、この金型単位の一方の側面にのみにブラシ毛形成用のＶ字溝を設ければよい。これによって、金型を安価に製作できるので、価格を上昇させることなく安価に化粧用塗布具を製造できる。
【００１０】
請求項２に係る発明によれば、さらにブラシ毛の先端部には前記後側面側ほど高くなる傾斜面が形成されているから、いっそうブラシ毛が睫やまゆ毛等の間を通り易くなって使い易い。
【００１１】
請求項３に係る発明によれば、各列のブラシ毛のピッチは、前記周方向の位置に応じて変化させたから、睫やまゆ毛の状況に応じて適切なピッチのブラシ毛を使用できるので、いっそう使い易くなる。
【００１２】
請求項４に係る発明によれば、化粧用塗布具成形金型は、扇形をした金型単位を組み合わせて構成し、各金型単位においては二側面のうちの一方側にのみブラシ毛形成用のＶ字溝を形成したから、この化粧用塗布具成形金型を安価に製作でき、これによって化粧用塗布具を安価に製造できる。
【発明を実施するための最良の形態】
【００１３】
以下、図１〜図５に基づいて、本発明の化粧用塗布具であるマスカラブラシとして、望ましい実施例について詳細に説明する。
【００１４】
図１は、このマスカラブラシの柄の先端部の正面図である。図２は、この前記マスカラブラシの柄の先端部の側面図である。図３は、ブラシ毛の拡大図である。図４は、マスカラブラシの製造に用いる金型の構造を説明する図である。図５は、前記金型を構成する金型単位の形状を説明する図である。
【００１５】
マスカラブラシは、図１及び図２に示したように、柄２０の先端部２２が円筒状に形成されており、この先端部２２の周囲に放射状に１０列の先細のブラシ毛２４を形成したものであり、柄２０、この先端部２２及びブラシ毛２４がポリプロピレン（ＰＰ）等の合成樹脂で一体に形成されている。
【００１６】
図３に示したように、全てのブラシ毛１４は、図１の正面図で見て柄２０の先端部２２の周方向に対して、時計回りの方向に一側面２６（以下、この一側面２６を後側面と記載する。）を向け、反時計回りの方向に後側面２６以外の二側面２９を向けた略三角形断面を有している。ブラシ毛２４の後側面２６の延長面は、柄２０の先端部２２表面に垂直で、先端部２２の中心軸２８を含んでいる。ブラシ毛２４の後側面２６以外の二側面２９には、射出成形後に金型を取り除き易くするための抜け勾配が設けられる。したがって、図３に示したように、ブラシ毛２４は全体としても先細であるとともに、二側面２９の間の辺３０（以下、この辺３０を前縁と記載する。）は、先端側ほど後方へ傾斜することになる。
【００１７】
また、ブラシ毛２４の先端３２は、正面視及び後面視で丸く形成されるとともに、前縁３０側が低く後側面２６側が高くなるように傾斜している。
【００１８】
さらに、各列のブラシ毛２４は、柄２０の先端部２２の周方向位置に応じて、そのピッチが変えられている。例えば、図２において、上側の列のブラシ毛２４のピッチａは、下側の列のブラシ毛２４のピッチｂより大きくされる。両者の間の列のブラシ毛２４のピッチは、上半分はピッチａ、下半分はピッチｂとするか、または、両者のピッチａ、ｂの中間の値とする。
【００１９】
このように、ブラシ毛２４が三角形断面を有するとともに前縁３０が後側面２６側へ傾斜し、ブラシ毛２４の先端部３２も傾斜しているから、ブラシ毛２４の前縁３０が前方になるようにマスカラブラシを回転させながら睫やまゆ毛をさばくと、ブラシ毛２４が睫やまゆ毛の間を通り易くなるとともに後方に変形し易く柔らかいものとなって、使い易いマスカラブラシが得られる。また、各列のブラシ毛２４のピッチは、柄２０の先端部２２の周方向の位置に応じて変化させたから、睫やまゆ毛の状況に応じて適切なピッチのブラシ毛を使用できるので、いっそう使い易くなる。
【００２０】
ブラシ毛２４の前縁３０及び先端部３２の傾斜方向は、右利き用に決定されている。これに対して、左利き用に前縁３０を図１とは逆方向へ傾斜させたものも造ってもよいが、コストアップの原因になるので、本発明のマスカラブラシは右利き専用としてもよい。
【００２１】
このようなマスカラブラシの製造方法を説明する。マスカラブラシは、図４に示したように、射出成形するための金型３８は、全部で１０個の金型単位４２からなるが、一対の金型単位４２はボルト４４で結合されたブロック４０を構成している。したがって、各金型単位４２は、中心角が３６°の扇形の断面を有するとともに、その中心部が切り落とされていて、金型単位４２を全部組み合わせると、その中心部に柄２０及びその先端部２２を形成するための空所５０が形成される。
【００２２】
なお、金型単位４２の両端中心部４３は、円弧面に形成して、金型単位４２を組み合わせたとき、両端中心部４３の中心に円筒状の中心支持部５４を配置する。このような中心支持部５４を用いるのは、金型単位４２の両端中心部４３が尖ったままでは、高精度に製作し難いからである。柄２０の先端部２２に開けられた穴５５は、中心支持部５４の存在のために生じる。
【００２３】
金型単位４２の一方の面４６は完全な平面とされ、この平面４６がブラシ毛２４の後側面２６を形成する面となる。各金型単位４２の他方の面４８も平面とされ、空所５０に連通する断面Ｖ字形のＶ字溝５２が放電加工によって形成される。このＶ字溝５２は、ブラシ毛２４の前縁３０とこの両側の二面２９を形成するものであり、抜け勾配を形成するため、先端側ほど浅くされている。このＶ字溝５２の先端部５６も、ブラシ毛２４の後側面２６側が前縁３０側よりやや高くするように傾斜している。このような金型単位４２を組み合わせて金型を作り、射出成形によってマスカラブラシをつくると、図１に示したように、ブラシ毛２４の後側面２６の延長面は、柄２０の先端部２２の中心軸２８を含む位置となる。ブラシ毛２４の前縁３０の延長線は、柄２０の先端部２２の中心軸２８からずれた位置となるとともに、各ブラシ毛２４は前縁３０が後側面２６側に傾いたものとなる。
【００２４】
このように、本実施例の金型を構成する金型単位４２においては、両側面４６、４８にブラシ毛４を形成するためのＶ字溝５２を設けずに、片側の側面４８だけにブラシ毛２４を形成するためのＶ字溝５２を設けたから、金型を造る労力が大幅に減って、コスト低減ができる。
【００２５】
ところで、本発明は、前記実施例に限るものではなく、例えば、次のように種々の変形が可能である。前記実施例ではブラシ毛２４を１０列設けたが、ブラシ毛２４の列数は適宜増減させてもよい。ブラシ毛２４の断面形状は、前記実施例では前縁３０に適度な丸みを持たせた略三角形としたが、前縁３０が尖った完全な三角形としてもよい。ブラシ毛２４の先端部３２の形状は、前記実施例では適度な丸みを持たせた曲面としたが、完全な平坦面としてもよい。各列のブラシ毛２４のピッチは、一定にする必要はなく、各列内の位置に応じて適宜変化させてもよい。各列のブラシ毛２４の長さは、一定にする必要はなく、各列の周方向位置又は各列内の位置に応じて適宜変化させてもよい。
【図面の簡単な説明】
【００２６】
【図１】本発明の一実施例に係るマスカラブラシの正面図である。
【図２】前記マスカラブラシの先端部の側面図である。
【図３】前記マスカラブラシのブラシ毛の形状を示す図である。
【図４】前記マスカラブラシを製造するために使用する金型の断面図である。
【図５】前記金型を構成する金型単位の形状を示す図である。
【図６】従来のマスカラブラシを示す図である。
【符号の説明】
【００２７】
２０    柄
２２    先端部
２４    ブラシ毛
２６    ブラシ毛の後側面
２８    柄の先端部の中心線
２９    ブラシ毛の側面
３０    ブラシ毛の前縁
３２    ブラシ毛の先端部
３８    金型
４２    金型単位
４６、４８  金型単位の側面
５２    Ｖ字溝
【図１】
2008136495.tif 000003
【図２】
2008136495.tif 000004
【図３】
2008136495.tif 000005
【図４】
2008136495.tif 000006
【図５】
2008136495.tif 000007
【図６】
2008136495.tif 000008